(57)【要約】      （修正有）【課題】保護フィルムをフラット電子設備のフィルム貼付予定面にうまく位置決めできるフィルム貼付装置を提供する。【解決手段】保護フィルム２を収容するための開口が開けられている板体１を含み、この板体には、開口の周縁に、保護フィルムをフラット電子設備３のフィルム貼付予定面に位置決めするようにフラット電子設備の周縁に係合する窪み部が設けられている。窪み部は階段状、または斜面状を呈しているのが好ましい。【選択図】図１１
0003189455.tif 000002
【実用新案登録請求の範囲】
【請求項１】
保護フィルムを収容するための開口が開けられている板体を含み、前記板体は、前記開口の周縁に、前記保護フィルムを前記フラット電子設備のフィルム貼付予定面に位置決めするようにフラット電子設備の周縁に係合する窪み部が設けられていることを特徴とするフラット電子設備フィルム貼付装置。
【請求項２】
前記窪み部は階段状を呈していることを特徴とする請求項1に記載のフラット電子設備フィルム貼付装置。
【請求項３】
前記窪み部は斜面状を呈していることを特徴とする請求項1に記載のフラット電子設備フィルム貼付装置。
【請求項４】
前記板体に、前記窪み部を取り囲み、且つ前記フラット電子設備の周縁を挟むためのフランジが突出していることを特徴とする請求項1〜3のいずれか一項に記載のフラット電子設備フィルム貼付装置。
【請求項５】
前記フランジにおける前記フラット電子設備のボタンに対応する所に、切欠きが設けられていることを特徴とする請求項4に記載のフラット電子設備フィルム貼付装置。
【請求項６】
前記フランジの高さは前記フラット電子設備の厚さよりも小さいことを特徴とする請求項4に記載のフラット電子設備フィルム貼付装置。
【請求項７】
前記板体と前記フランジとは一体成型されていれることを特徴とする請求項4に記載のフラット電子設備フィルム貼付装置。
【請求項８】
前記板体における前記開口に対応する側端の少なくとも一方の側の幅は前記開口における他の側端の幅よりも大きいことを特徴とする請求項1〜3のいずれか一項に記載のフラット電子設備フィルム貼付装置。
【考案の詳細な説明】
【技術分野】
【０００１】
本考案はフラット電子設備部品の分野に属し、特にフラット電子設備フィルム貼付装置に関する。
【背景技術】
【０００２】
最近、例えば携帯電話、タブレットPCなどのフラット電子設備は既に人々にとって最も重要な通信閲読設備になった。しかしながら、フラット電子設備は使用過程においてスクリーンおよび裏面が傷ついてかすり傷が生じやすく、フラット電子設備のスクリーンの表示効果と美観性をひどく損なった。そこで、フラット電子設備保護フィルムが現れた。しかし、従来の保護フィルムは、1枚ごとを剥ぎ取られ、フラット電子設備のフィルム貼付予定面に位置合わせられるものであり、素人ではフィルム貼付の接着技術をマスターしておらず、フラット電子設備のフィルムの貼付予定面に対して位置決めを旨く行うことができないので、貼付過程が複雑になり、或いは不成功になってしまう等の問題が生じた。
【考案の概要】
【考案が解決しようとする課題】
【０００３】
本考案は、フラット電子設備のフィルムの貼付予定面に位置決めを旨く行うことができないことにより、貼付過程が複雑になり、或いは不成功になってしまう等の問題を解決するためのフラット電子設備フィルム貼付装置を提供することを目的とする。
【課題を解決するための手段】
【０００４】
本考案は、保護フィルムを収容するための開口が開けられている板体を含み、前記板体は、前記開口の周縁に、前記保護フィルムを前記フラット電子設備のフィルム貼付予定面に位置決めするようにフラット電子設備の周縁に係合する窪み部が設けられているフラット電子設備フィルム貼付装置により実現される。
具体的には、前記窪み部は階段状を呈している。
或いは、前記窪み部は斜面状を呈している。
【０００５】
更に、前記板体に、前記窪み部を取り囲み、且つ前記フラット電子設備の周縁を挟むためのフランジが突出している。
更に、前記フランジにおける前記フラット電子設備のボタンに対応する所に、切欠きが設けられている。
更に、前記フランジの高さは前記フラット電子設備の厚さよりも小さい。
更に、前記板体と前記フランジとは一体成型されていれる。
更に、前記板体における前記開口に対応する側端の少なくとも一方の側の幅は前記開口における他の側端の幅よりも大きい。
【０００６】
本考案では、板体を設け、板体に保護フィルムに合わせた開口をあけ、開口の周縁に窪み部を設け、窪み部をフラット電子設備の周縁に係合させることで、保護フィルムをフラット電子設備のフィルム貼付予定面に位置決めでき、構造が簡単であり、位置決めが便利であるので、フィルム貼付操作の全体を更に簡単にすることができ、操作時間を大幅に節約できるとともに、素人も容易に完成できる。
【図面の簡単な説明】
【０００７】
【図１】本考案の実施例1で提供されるフラット電子設備フィルム貼付装置の正面図である。
【図２】図1における線A-Aに沿う断面図である。
【図３】図2における丸Cの部分の拡大図である。
【図４】図1における線B-Bに沿う断面図である。
【図５】図1のフラット電子設備フィルム貼付装置の背面図である。
【図６】図1のフラット電子設備フィルム貼付装置の正面立体構造模式図である。
【図７】図1のフラット電子設備フィルム貼付装置の裏面立体構造模式図である。
【図８】本考案の実施例2で提供されるフラット電子設備フィルム貼付装置の正面図である。
【図９】図8における線D-Dに沿う断面図である。
【図１０】図9における丸E部分の拡大図である。
【図１１】本考案のフラット電子設備フィルム貼付装置により保護フィルムを貼付する時の模式図である。
【図１２】図11における丸F部分の拡大図である。
【考案を実施するための形態】
【０００８】
本考案の目的、技術方案およびメリットを更に明らかにするために、以下、添付図面および実施例を結合して本考案を更に詳細に説明する。ここで述べている具体的な実施例が本考案を解釈するためのものに過ぎず、本考案を限定するものではないことを了解すべきである。
図1〜図7を参照し、本考案の実施例1は以下の通りである。
【０００９】
図3、図5及び図6を参照し、実施例1のフラット電子設備フィルム貼付装置は、大きさが保護フィルムの大きさと対応し、保護フィルムを収容するための開口11が開けられている板体1を含む。板体1に、開口11の周縁を取り囲み、フラット電子設備の周縁に係合する窪み部12も設けられている。このように、窪み部12をフラット電子設備のフィルム貼付予定面に係合させた時に、開口11を当該フィルム貼付予定面に位置決めできる。そうすると、開口11に収容されている保護フィルムを当該フィルム貼付予定面に位置決めした。
【００１０】
保護フィルムを貼付するには、先ず、フラット電子設備をテーブルに置き、フラット電子設備のフィルム貼付予定面を上向きにし、板体1の窪み部12をフラット電子設備の周縁に係合させる。次に、保護フィルムを開口11に置けるだけで、フラット電子設備のフィルム貼付予定面に正確に位置決めることができる。フィルム貼付を簡便にし、フィルム貼付操作全体が更に簡単になり、操作時間を大幅に節約できるとともに、素人も容易に完成できる。板体1を設け、板体1に保護フィルムに合わせた開口11をあけ、開口11の周縁に窪み部12を設け、窪み部12をフラット電子設備の周縁に係合させるだけで、保護フィルムをフラット電子設備のフィルム貼付予定面に位置決めでき、構造が簡単であり、製造が便利であり、コストが低い。
【００１１】
窪み部12は、周縁とフィルム貼付予定面とがステップ状を呈しているフラット電子設備に対してフィルムの位置決めを行うことに応対し、フラット電子設備を便利に置けるために、階段状構造を呈している。更に、板体1に、フランジ13が突出しており、即ち、フランジ13は板体1における窪み部12が設けられている面に位置し、窪み部12を取り囲んでいる。窪み部12がフラット電子設備の周縁に係合している時、フランジ13はフラット電子設備の周縁を挟むことができ、当該フィルム貼付装置とフラット電子設備との係合を更に安定させ、フィルム貼付を簡便にすることができる。
【００１２】
フランジ13の高さはフラット電子設備の厚さよりも小さい。こうすると、板体1の窪み部12がフラット電子設備に係合している時、フランジ13がフラット電子設備におけるフィルム貼付予定面と対向する他方の面まで延出することなく、開口11の内側面をフラット電子設備のフィルム貼付予定面の縁に貼付することができる。
【００１３】
図2と図4を併せて参照し、フランジ13におけるフラット電子設備のボタンに対応する所に、フランジ13がフラット電子設備のボタンを押すことを防止できる切欠き15が設けられている。
【００１４】
当該フィルム貼付装置を便利に手で持つことができるように、板体1における開口11に対応する側端の少なくとも一方の側14の幅は当該開口11の他の側端の幅よりも大きい。板体1とフランジ13とは一体成型されている。
図8〜図10を参照し、本考案の実施例2は以下の通りである。
【００１５】
実施例2のフラット電子設備フィルム貼付装置は、保護フィルムに合わせた開口11が開けられている板体1を含み、板体1に、開口11の周縁を取り囲む窪み部12'が設けられている。窪み部12'は、フィルム貼付時にフラット電子設備の周縁とフィルム貼付予定面を便利に導入できるように、斜面状構造を呈している。本実施例において、他の構造は実施例1と同様であり、ここで説明を繰り返さない。
【００１６】
図11と図12を併せて参照し、保護フィルム2は正面フィルムと裏面フィルムに分けられている。正面フィルムはスクリーンを保護するようにフラット電子設備3のスクリーンに貼付されるものである。裏面フィルムはフラット電子設備3におけるスクリーンと対向する裏面に貼付されるものである。
【００１７】
保護フィルム2は、フラット電子設備3のフィルム貼付予定面に貼付される保護膜21と、保護膜21の両面にそれぞれ貼付された表層膜23および裏層膜22とを含む。保護膜21は、フラット電子設備3に貼付された後、フラット電子設備3を保護するためのものであるが、表層膜23および裏層膜22の方は主に保護膜21を貼付するまでに当該保護膜21を保護するためのものである。裏層膜22に第一の手剥ぎラベル221が設けられており、表層膜23に第二の手剥ぎラベル231が設けられている。第一の手剥ぎラベル221により、裏層膜22を容易に剥ぎ取り、保護膜21をフラット電子設備3に貼付することができる。貼付した後、第二の手剥ぎラベル231により表層膜23を容易に剥ぎ取ることができる。
【００１８】
フィルムを貼付する時、場合によってブレード24を用いることもある。保護膜21がフラット電子設備3のフィルム貼付予定面に貼付る時、その間に気泡が存在すると、ブレード24を用いて当該気泡を排除することができ、保護膜21とフラット電子設備3のフィルム貼付予定面との貼付を更に好適にする。
本考案のフィルム貼付の工程は以下の通りである。
【００１９】
フラット電子設備3をテーブルに置き、フィルム貼付予定面を上向きにし（フィルム貼付予定面がスクリーンである場合に、スクリーンを上向きにする）、そして、フィルム貼付予定面を洗浄する。
板体1の窪み部12をフラット電子設備3に係合させる。
【００２０】
第一の手剥ぎラベル221により裏層膜22の一部を剥ぎ取り、露出される保護膜21の一部の側辺を板体における開口11の内側面に当接させ、当該部分をフィルム貼付予定面に貼付する。
裏層膜22を徐々に剥ぎ取り、保護膜21をフィルム貼付予定面に貼付する。
【００２１】
ブレード24を用いて表層膜23を掻き、保護膜21とフラット電子設備3のフィルム貼付面との間の気泡を排除する。
第二の手剥ぎラベル231を剥ぎ、表層膜23を連れて保護膜21から剥ぎ取り、フィルム貼付を完成する。
フィルム貼付予定面を洗浄するには、超細繊維ワイパにより拭いて洗浄することができ、フィルム貼付予定面を傷付けることはない。
当該フィルム貼付方式は簡単であり、便利であり、操作し易い。
【００２２】
以上は本考案の好ましい実施例に過ぎず、本考案を制限するものではなく、本考案の精神と主旨を逸脱しない限り、すべての変更、同等な置換、及び改善等はいずれも本考案の請求範囲内に含まれるべきである。
【符号の説明】
【００２３】
1 : 板体
2 : 保護フィルム
3 : フラット電子設備
11 : 開口
12 : 窪み部
12' : 窪み部
13 : フランジ
14 : 側
15 : 切欠き
21 : 保護膜
22 : 裏層膜
23 : 表層膜
24 : ブレード
221 : 第一の手剥ぎラベル
231 : 第二の手剥ぎラベル
【図１】
0003189455.tif 000003
【図２】
0003189455.tif 000004
【図３】
0003189455.tif 000005
【図４】
0003189455.tif 000006
【図５】
0003189455.tif 000007
【図６】
0003189455.tif 000008
【図７】
0003189455.tif 000009
【図８】
0003189455.tif 000010
【図９】
0003189455.tif 000011
【図１０】
0003189455.tif 000012
【図１１】
0003189455.tif 000013
【図１２】
0003189455.tif 000014